(57)【要約】【課題】  チョークやマーカーの粉が空中に飛散しないイレーザーは、製造が難しく高価であった。製造が容易で安価な粉が空中に飛散しないイレーザーの提供を目的とする。【解決手段】  拭き取り部と支持部に分けて製造し、拭き取り部にドーナツ形状の中空支持布を用い、支持部を摺接にて二つ折り出来るようにして、両部を二つ折りして挿入組み立てが出来るようにしたイレーザー。【選択図】    図９
2006231894.tif 000002
【特許請求の範囲】
【請求項１】
拭き取り部とそれを支持する支持部よりなるイレーザーにおいて、ドーナツ形状の中空支持布を、拭き取り部の拭き取り布と反対側に設置し、拭き取り布と中空支持布の間に弾力材を挟み、それぞれの外端を同共縫着して成る拭き取り部と、上部に握り柄を有する支持盤二部が、摺接にて一枚の盤を形成する支持部とからなるイレーザー。
【発明の詳細な説明】
【技術分野】
【０００１】  本発明は、黒板やホワイトボードのイレーザーに関するものである。
【背景技術】
【０００２】  従来、黒板やホワイトボード上に書いた文字や絵を消すイレーザーは、ほぼ全体が直方体の形をしており、その形の構造上文字などを消す時に粉を削り飛ばしながら風を起すので、どうしても空中にチョークの粉やマーカーの粉を飛散させていた。
そこで拙者、風をほとんど起さない超薄型で、しかも粉をほとんど削り飛ばさないよう、黒板やホワイトボードへの接触面がゆるいカーブを形成したイレーザーを開発し特許出願もした。しかし実際製造上、超薄くかつゆるいカーブを保ちつつ、必要な弾力と強度を有し、安価なイレーザーを製造することは非常に困難であった。
【発明の開示】
【発明が解決しようとする課題】
【０００３】  そこで本発明は、超薄型イレーザーの拭き取り部と支持部の製造と組み立て作業を容易にし、安価で使用必要機能も従来イレーザーの機能はそのままに、その上、空中に粉を飛散させないで、強度も十分なイレーザーを提供しようとするものである。
【課題を解決するための手段】
【０００４】  図１、図２、図３、図４に平面図で示すそれぞれの物を、拭き取り布（４）＋弾力用スポンジ（３）＋スポンジカバー布（２）＋ドーナツ形状中空支持ナイロン布（１）の順序で重ね合わせ、それぞれの外端を同時に共に縫着して本発明のイレーザーの拭き取り部が完成する。
本発明イレーザーの支持部は、全体を平面的に見た場合、図７に示す如くグラウンドのフィールドのような形で、フィールド形状の盤を縦方向中央で切断した支持盤Ａ（５）と支持盤Ｂ（６）がそれぞれ支持盤の切断面の下部で摺接され、両方を蝶番で接続したように縦方向中央で折れ曲がる一枚のフィールド形状の支持盤を形成している。その支持盤Ａ（５），Ｂ（６）の上部に、握り柄となる適当な大きさの付加体をそれぞれ二本、適当な間隔でフィールド形状の支持盤となった時の縦方向に、平行に設け、支持盤Ａ（５）の付加体である握り柄（７）上部には凹部分を設け、支持盤Ｂ（６）の付加体である握り柄（７）上部には先端に凸部のついた接続手（８）を設け、支持盤Ａ，Ｂを水平状態にした時に、支持盤Ｂの握り柄の接続手（８）の凸部が支持盤Ａの握り柄（７）の凹部に自動的に挿入され、支持盤Ａ，Ｂは水平状態を保った形で合着し、フィールド形状の支持盤を形成し、本発明イレーザーの支持部となる。
上記のように形成された拭き取り部と支持部を組み立てる時は、両部とも縦中央部分で折り曲げる。拭き取り部は全体が布とスポンジで出来ているので簡単に中央部分で折れ曲がる。この時中空支持ナイロン布が上になるように折り曲げる。支持部は支持盤Ｂの握り柄の接続手（８）の先端の凸部を、支持盤Ａの握り柄の凹部から抜くように接続手（８）を持ち上げると外れる。接続手（８）は合成樹脂で出来ているのでその弾力を利用している。支持盤の上部にある接続手（８）が外れると、支持盤の下部は摺接になっているので、支持盤Ａ（５），Ｂ（６）は二つに折れたように折れ曲がる。
この状態の両部をつき合わせ、支持部の支持盤Ａ，Ｂの盤の薄くて丸い先端部分を、拭き取り部の折られることで袋状になっているスポンジカバー布（２）と中空支持ナイロン布（１）との間に挿入する。挿入し終わったら、支持部の支持盤の折り曲げを水平に戻すと、接続手（８）も自動的にセットされ組み立てが完了する。この時、拭き取り部の袋状の中に入った支持盤の盤によって、拭き取り部の各端部が引っ張られパンパンと張ったゆるいカーブの底面の超薄型イレーザーが完成するのである。
【発明の効果】
【０００５】  本発明イレーザーは、上記の通り拭き取り部、支持部の両部を折り曲げ、挿入して元に戻せば組み立て完了するので、非常に組み立てが簡単である。しかも理想とする拭き取り部の張りとゆるいカーブを底面に持った超薄型のイレーザーが出来るので、空中に粉が飛散しないイレーザーが容易に完成するのである。
製造時の組み立ても簡単であるが、イレーザーは消耗品で、しかも消耗する所は拭き取り部だけで、その拭き取り部だけを使用者誰でもが簡単に理想に近い状態の形で交換することができる効果があり、非常に経済的である。又、製造的には拭き取り部は、それぞれの布や弾力材の外端を同時に共に縫着すればよく量産し易い。支持部は摺接の部分は合成樹脂の薄い部分とすればよく、型一個で一回の抽出で支持部全体を作ることができ、量産でき全体として安価とすることが出来るのである。
【発明を実施するための最良の形態】
【０００６】  本発明イレーザーの拭き取り部は、拭き取り布（４）＋弾力用スポンジ（３）＋スポンジカバー布（２）＋ドーナツ形状中空支持ナイロン布（１）をこの順序で重ね、それぞれの外端を同時に共に縫着して拭き取り部が完成する。その内、拭き取り布（４）は、チョークの粉やマーカーの粉を拭き取り易く粉の保持力が高い毛足の立った別珍のような布が良く、弾力用スポンジ（３）は、ゆるいカーブを作る為に中央が一番厚く、外端に行くほど薄いスポンジか、もしくは中央だけ二段重ねになっているスポンジを使用する。スポンジカバー布（２）は、普通の裏地用布で十分である。ドーナツ形状中空支持ナイロン布（１）は、図１に平面図を示す如くドーナツ形状になるように中を切り抜いて、布にチョークやマーカーの粉が染み込まないよう、表に出る布の表面をナイロン張り付け加工した布である。
支持部は全体を合成樹脂で製造する。支持盤Ｂ（６）の握り柄（７）の上部にある接続手（８）の先端の凸部が、支持盤Ａ（５）の握り柄（７）の上部の凹部に、両支持盤を水平状態にした時に自動的に挿入セットされるのは、適当な薄さの合成樹脂で出来ている接続手（８）の弾力によるもので、一旦挿入セットされると、普通のイレーザー使用状態では外れないのである。強制的に接続手（８）を引き上げた時だけ外れるのである。摺接部分（９）は支持盤と一体とし、特に合成樹脂の薄い部分とすればよく、つまりは型一個で一回の抽出で支持部全体を製造出来るのである。
【実施例】
【０００７】  上記のように製造された拭き取り部と支持部をセットするには、両部を中央か中央部分で折り曲げ、支持盤Ａ，Ｂのそれぞれの盤の薄くて丸い先端部分を、拭き取り部の袋状になっているスポンジカバー布と中空支持ナイロン布の間に挿入して、後は支持盤Ａ，Ｂを水平状態にすると、支持盤Ｂの握り柄の上部に設けられている接続手の凸部が、支持盤Ａの握り柄の上部に設けられた凹部に自動的に挿入され、支持盤全体が水平状態を保持することとなりセット完了で、イレーザー使用可能状態となる。前拙者出願のイレーザーは、一方一箇所しか握って使用出来なかったが、本発明イレーザーは前後両方から握って使用出来る。使い易さが二倍となったのである。セット完了したイレーザーは、盤が水平になる時に拭き取り部の各端が引っ張られ、張りのあるゆるいカーブの底面と、フィールド形状の前後の先端部分が超薄いイレーザーとなり、使用時ほとんど風を起さず、張りのあるゆるい底面の為にチョークやマーカーの粉を削り飛ばすことがほとんどない為、とても使い易い空中に粉をほとんど飛散させないイレーザーとなるのである。
【産業上の利用可能性】
【０００８】  本発明の構造のイレーザーとすれば、チョークやマーカーの粉を空中にほとんど飛散させないイレーザーが量産でき、安価でかつ使用者の健康維持にも大きく貢献するものと確信する。又、消耗品で有る為、実際に摩滅する拭き取り部だけ誰でも簡単に交換できることは、経済的でもあるし、ゴミの減量にも大きく貢献し、産業上の利用可能性も非常に大きいと思う。
【図面の簡単な説明】
【０００９】
【図１】ドーナツ形状中空支持ナイロン布の平面図である。
【図２】スポンジカバー布の平面図である。
【図３】弾力用二段重ねスポンジの平面図である。
【図４】拭き取り布の平面図である。
【図５】弾力用二段重ねスポンジの右側面図である。
【図６】縫着後の拭き取り部の右側面図である。
【図７】支持部の平面図である。
【図８】支持部の接続手を外した時の右側面図である。
【図９】拭き取り部と支持部組み立て後のイレーザー全体の平面図である。
【図１０】組み立て完了イレーザーの右側面図である。
【符号の説明】
１−−−  中空支持ナイロン布
２−−−  スポンジカバー布
３−−−  二段重ねスポンジ
４−−−  拭き取り布
５−−−  支持盤Ａ
６−−−  支持盤Ｂ
７−−−  握り柄
８−−−  接続手
９−−−  摺接部分
【図１】
2006231894.tif 000003
【図２】
2006231894.tif 000004
【図３】
2006231894.tif 000005
【図４】
2006231894.tif 000006
【図５】
2006231894.tif 000007
【図６】
2006231894.tif 000008
【図７】
2006231894.tif 000009
【図８】
2006231894.tif 000010
【図９】
2006231894.tif 000011
【図１０】
2006231894.tif 000012